(57)【要約】【課題】操作環の操作性を損なうことなしに、発光窓を格納すること。【解決手段】カメラ１は、撮影光学系を有する略円筒状の鏡胴２０と、撮影補助光の発光窓２３と、鏡胴２０の外周筒内部に形成され、発光窓２３を格納可能な格納部と、を備える。【選択図】図１
2015049295.tif 000002
【特許請求の範囲】
【請求項１】
撮影光学系を有する略円筒状の鏡胴と、
撮影補助光の発光窓と、
前記鏡胴の外周筒内部に形成され、前記発光窓を格納可能な格納部と、
を備えることを特徴とするカメラ。
【請求項２】
請求項１に記載のカメラにおいて、
前記撮影光学系の光軸と略平行な軸の周りに回動して、前記発光窓を、前記格納部および前記鏡胴から離れた使用位置間で移動させる移動機構を、
さらに備えることを特徴とするカメラ。
【請求項３】
請求項２に記載のカメラにおいて、
前記鏡胴の外周部に設けられ、前記撮影光学系の光軸周りに回転可能な操作環をさらに備え、
前記格納部は、前記操作環よりもカメラの筐体側に設けられていることを特徴とするカメラ。
【請求項４】
請求項２または３に記載のカメラにおいて、
前記発光窓が前記格納部にあるとき、前記発光窓の位置は前記移動機構の回動軸より下側にあり、
前記発光窓が前記使用位置にあるとき、前記発光窓の位置が前記移動機構の回動軸より上側にあることを特徴とするカメラ。
【請求項５】
請求項２〜４のいずれか一項に記載のカメラにおいて、
前記移動機構の回動軸は、前記鏡胴の外周部の最上部より下側に設けられていることを特徴とするカメラ。
【請求項６】
撮影光学系を有する略円筒状の鏡胴と、
前記鏡胴の外面の一部を形成する位置および前記鏡胴から離れた使用位置間で移動可能な発光窓と、
を備えることを特徴とするカメラ。
【請求項７】
請求項６に記載のカメラにおいて、
前記鏡胴の外周部に設けられ、前記撮影光学系の光軸周りに回転可能な操作環をさらに備え、
前記発光窓は、前記操作環よりもカメラの筐体側に設けられていることを特徴とするカメラ。
【請求項８】
撮影光学系を有する略円筒状の鏡胴と、
前記鏡胴の外周部に設けられ、前記撮影光学系の光軸周りに回転可能な操作環と、
前記撮像光学系を構成する前玉よりもカメラの筐体側に設けられたフラッシュ装置と、
を備えることを特徴とするレンズ鏡筒。
【発明の詳細な説明】
【技術分野】
【０００１】
本発明は、カメラおよびレンズ鏡筒に関する。
【背景技術】
【０００２】
フラッシュ光の使用時において、フラッシュ光がレンズ鏡筒でケラレないように、発光窓部をレンズ鏡筒から遠ざける方向にフラッシュ装置を移動させるポップアップ機構が知られている（特許文献１参照）。
【先行技術文献】
【特許文献】
【０００３】
【特許文献１】実開平２−４１２３４号公報
【発明の概要】
【発明が解決しようとする課題】
【０００４】
従来技術では、フラッシュ光の非使用時において、長筒状に形成されたフラッシュ装置が、その長手方向をレンズ鏡筒の側部に沿わせて格納される。このため、レンズ鏡筒に設けられたフォーカス環などの操作環の一部しかレンズ鏡筒の側部に露出せず、操作環に対する操作がしづらい。
【課題を解決するための手段】
【０００５】
請求項１に記載のカメラは、撮影光学系を有する略円筒状の鏡胴と、撮影補助光の発光窓と、鏡胴の外周筒内部に形成され、発光窓を格納可能な格納部と、を備えることを特徴とする。
請求項６に記載のカメラは、撮影光学系を有する略円筒状の鏡胴と、鏡胴の外面の一部を形成する位置および鏡胴から離れた使用位置間で移動可能な発光窓と、を備えることを特徴とする。
請求項８に記載のレンズ鏡筒は、撮影光学系を有する略円筒状の鏡胴と、鏡胴の外周部に設けられ、撮影光学系の光軸周りに回転可能な操作環と、撮像光学系を構成する前玉よりもカメラの筐体側に設けられたフラッシュ装置と、を備えることを特徴とする。
【発明の効果】
【０００６】
本発明によれば、操作環の操作性を損なうことなしに、発光窓を格納できる。
【図面の簡単な説明】
【０００７】
【図１】本発明の第一の実施形態によるフラッシュ内蔵カメラを例示する図である。
【図２】図１のカメラを前から見た図であって、回動部材の位置でレンズ鏡筒を切断した断面図である。
【図３】回動部材を畳んだカメラを前から見た図であって、回動部材の位置でレンズ鏡筒を切断した断面図である。
【図４】図３のカメラの筐体およびレンズ鏡筒を上下に切断した断面を上から見た図である。
【図５】本発明の第二の実施形態によるカメラボディの筐体および交換レンズ鏡筒を上下に切断した断面を上から見た図である。
【図６】変形例２によるフラッシュ内蔵カメラを例示する図である。
【発明を実施するための形態】
【０００８】
以下、図面を参照して本発明を実施するための形態について説明する。
（第一の実施形態）
図１は、本発明の第一の実施形態によるフラッシュ内蔵カメラ１を例示する図であり、フラッシュ使用状態を表す斜視図である。図１において、筐体２の前面に、筐体２と一体に構成されたレンズ鏡筒２０が設けられている。光軸Ａ方向に突出しているレンズ鏡筒２０の外周部には、操作環２１が設けられている。操作環２１は、例えばマニュアルフォーカス時のフォーカス調節の際に操作される。なお、操作環２１は、ズーム操作環や絞り操作環であってもよい。
【０００９】
レンズ鏡筒２０の外周部の一部であって、操作環２１より筐体２に近い部位には、回動部材２２が設けられている。回動部材２２は、フラッシュ装置を構成しており、その先端部に発光窓２３が設けられている。フラッシュ使用時において、回動部材２２は、後述するヒンジ１０を回転軸として図１に示す矢印方向に回動される。これにより、発光窓２３がレンズ鏡筒２０から離れた使用位置へ移動する。
【００１０】
フラッシュ非使用時において、回動部材２２は、後述するヒンジ１０を回転軸として図１に示す矢印方向と逆向きに回動される。これにより、回動部材２２が収納位置に畳まれ、畳まれた回動部材２２がレンズ鏡筒２０の外周の一部を形成する。
【００１１】
図２は、図１のカメラ１を前から見た図であって、回動部材２２の位置でレンズ鏡筒２０を切断した断面図である。回動部材２２は、光軸Ａ（図１）と平行に設けられたヒンジ１０によって回動可能に支持される。回動部材２２は、開きバネ７による付勢力によって図示した位置までポップアップ駆動され、ポップアップされた状態を維持する。発光窓２３の内部には、例えば不図示のキセノン管などの発光体や反射傘が設けられる。発光窓２３が、筐体２に対して前方かつ光軸Ａから離れた使用位置へ移動することで、発光窓２３がレンズ鏡筒２０から遠ざかり、レンズ鏡筒２０によるフラッシュ光線のケラレを回避できる。
【００１２】
図３は、回動部材２２を畳んだカメラ１を前から見た図であって、回動部材２２の位置でレンズ鏡筒２０を切断した断面図である。係止レバー８および係止レバーバネ９は、フラッシュ非使用時において、回動部材２２を収納位置に係止するために設けられる。ユーザーは、回動部材２２を図１に示す矢印方向と逆向きに押し下げる。係止レバー８は、回動部材２２の先端２２ｂを係止し、開きバネ７による付勢力に抗して回動部材２２を収納位置に引き留める。係止レバーバネ９は、係止レバー８による係止が外れないように、図３において略右方向へ付勢力を発する。
【００１３】
図２において、レンズ鏡筒２０は、鏡筒４の一部に鏡筒切り欠き部４ａを設けることにより、鏡筒４（または操作環２１）によって形成される最大外周２６と、鏡筒切り欠き部４ａによって形成される最小外周との間に空間４ｂを有する。図３における回動部材２２の収納位置は、図２における空間４ｂに相当する。図３において、収納位置にある回動部材２２の外面は、最大外周２６の一部を形成する。
【００１４】
図３に例示する状態で、ユーザーが係止レバー８を左方向へ移動させると、係止レバー８による回動部材２２の先端２２ｂに対する係止が解除される。回動部材２２は、開きバネ７による付勢力によって回動を始め、図１および図２に示す位置までポップアップ駆動される。図２において、ヒンジ１０は、鏡筒４における鏡筒切り欠き部４ａの上側端部に対応する位置に設けられる。これにより、発光窓２３が使用位置へ到達すると、回動部材２２の外側面におけるヒンジ１０側の端部２２ａが、鏡筒切り欠き部４ａの上側端部に当接する。ヒンジ１０の位置（すなわち鏡筒切り欠き部４ａの上側端部）を、レンズ鏡筒２０の最上位部より右下方へ下げた位置にしたので、ヒンジ１０の位置をレンズ鏡筒２０の最上位部に設ける場合に比べて、端部２２ａの当接面積を広く確保できる。この結果、当接面に要求される耐圧強度を低く抑えることができる。
【００１５】
図４は、図３のカメラ１の筐体２およびレンズ鏡筒２０を上下に切断した断面を上から見た図である。回動部材２２は、上述した空間４ｂに収納されている。撮影レンズ群２５は、撮像素子１１に被写体像を結像させる。レンズバリア機構２４は、カメラ１の非使用時に撮影レンズ群２５を覆う。レンズバリア機構２４は、レンズ鏡筒２０の内部において撮影レンズ群２５を構成する一番前のレンズ（前玉）より前方に設けられる。
【００１６】
一般に、レンズバリア機構２４や操作環２１は、レンズ鏡筒２０内において径方向にメカ用のスペースを要するのに対し、レンズバリア機構２４や操作環２１でない領域は、上記メカ用のスペースが不要である。そこで、上記空間４ｂの位置を、レンズバリア機構２４や操作環２１でない領域に設けるべく、レンズバリア機構２４より後方で、かつ操作環２１より後方（筐体２側）の位置とする。
【００１７】
上述したレンズ鏡筒２０内の空間４ｂに回動部材２２（フラッシュ装置）を配置することにより、カメラ１の筐体２においてフラッシュ装置を設ける場合に比べて、筐体２をコンパクトにできる。また、カメラ１の筐体２においてフラッシュ装置を設ける場合に比べて、発光窓２３の位置が前方に配置されることになるため、レンズ鏡筒２０によるフラッシュ光線のケラレの回避に有効である。
【００１８】
以上説明した第一の実施形態によれば、次の作用効果が得られる。
（１）フラッシュ装置を内蔵するカメラ１は、撮影レンズ群２５を有する略円筒状のレンズ鏡筒２０と、撮影補助光の発光窓２３と、レンズ鏡筒２０の外周筒内部に形成され、発光窓２３を格納可能な空間４ｂと、を備えるようにした。これにより、操作環２１の操作性を損なうことなしに、発光窓２３を格納できる。
【００１９】
（２）撮影レンズ群２５の光軸Ａと略平行な軸の周りに回動して、発光窓２３を、空間４ｂおよびレンズ鏡筒２０から離れた使用位置間で移動させる回動部材２２を備えるようにした。これにより、操作環２１の操作性を損なうことなしに、レンズ鏡筒２０の外面と使用位置との間で発光窓２３を移動できる。
【００２０】
（３）レンズ鏡筒２０の外周部に設けられ、撮影レンズ群２５の光軸Ａ周りに回転可能な操作環２１を備え、空間４ｂは、操作環２１よりもカメラ１の筐体２側に設けたので、レンズ鏡筒２０内において径方向にメカ用のスペースが不要な領域に、適切に設けることができる。
【００２１】
一般に、レンズ鏡筒２０の筐体２からの突出量が大きい場合は、レンズ鏡筒２０の内部において、レンズバリア機構２４および操作環２１でない領域のスペースが広くなる。このスペースに回動部材２２（フラッシュ装置）を設けたことで、レンズ鏡筒２０内のスペースを有効利用できる。
【００２２】
さらに、回動部材２２は、1軸（ヒンジ１０）のシンプルな構成でポップアップ機構を構成できる上に、例えばヒンジ１０および発光窓２３を、鏡筒４（または操作環２１）の最大外周２６とその直径とが交わる２点に相当する位置に配する場合には、発光窓２３を、最大外周２６から上記直径相当離れた位置まで容易に移動させることができる。
【００２３】
（４）発光窓２３が空間４ｂにあるとき、発光窓２３の位置はヒンジ１０より下側にあり、発光窓２３が使用位置にあるとき、発光窓２３の位置がヒンジ１０より上側にあるようにした。これにより、使用位置において発光部２３が高い位置へ移動するので、レンズ鏡筒２０によるフラッシュ光線のケラレの回避に好適である。
【００２４】
（５）回動部材２２の回動軸（ヒンジ１０）は、レンズ鏡筒２０の外周部の最上部より下側に設けたので、ヒンジ１０の位置をレンズ鏡筒２０の最上位部に設ける場合に比べて、端部２２ａの当接面積を広く確保できる。この結果、当接面に要求される耐圧強度を低く抑えることができる。
【００２５】
（変形例１）
上述したレンズ鏡筒２０は、鏡筒４（または操作環２１）によって形成される最大外周２６と、鏡筒切り欠き部４ａによって形成される最小外周との間に空間４ｂを設けるようにした。この代わりに、鏡筒４の一部に鏡筒切り欠き部４ａを設けることなしに、鏡筒４の外側に鏡筒４の外周を覆う筐体を設け、この筐体の一部を切り欠くことによって、外周を覆う筐体の面と、鏡筒４の外側面との間に上記空間４ｂに相当する空間を設けてもよい。変形例１では、この空間を回動部材２２の収納位置とする。そして、収納位置へ移動した回動部材２２の外側面が、鏡筒４の外周を覆う筐体の最大外周の一部を形成する。
【００２６】
（第二の実施形態）
撮影レンズを交換可能に構成する場合にも本発明を適用してよい。図５は、本発明の第二の実施形態によるカメラボディの筐体２Ａ、および交換レンズ鏡筒２０Ａを上下に切断した断面を上から見た図であり、第一の実施形態における図４に対応する。図５において、筐体２Ａは、交換レンズ鏡筒２０Ａを装着するためのボディマウント１２を備え、このボディマウント１２と嵌合するレンズマウント２７を備えた交換レンズ鏡筒２０Ａが装着される。
【００２７】
図５において、第一の実施形態と同様の構成には同一符号を付して説明を省略する。交換レンズ鏡筒２０Ａは、鏡筒４（または操作環２１）によって形成される最大外周２６と、鏡筒切り欠き部４ａによって形成される最小外周との間に、空間４ｂおよび空間４ｃが設けられる。空間４ｂは、第一の実施形態と同様に、回動部材２２（フラッシュ装置）の収納位置として用いられる。空間４ｃには、コンデンサ２８が実装される。コンデンサ２８は、フラッシュ光を放電発光させるための放電回路を構成する。
【００２８】
交換レンズ鏡筒２０Ａにフラッシュ装置を搭載することで、レンズの特性に最適なフラッシュ装置を組み合せることが可能である。例えば、フラッシュ装置のガイドナンバーは、交換レンズ鏡筒２０Ａの光学特性に合致したガイドナンバーであればよいので、コンデンサ２８は、他の交換レンズと組み合わせた場合に必要なガイドナンバーを考慮することなく、必要最小限の容量を確保すればよい。なお、コンデンサ２８への充電は、ボディマウント１２およびレンズマウント２７に設けられている接点部を介してカメラボディの筐体２Ａ側から行われる。
【００２９】
上記空間４ｂおよび４ｃの位置を、レンズバリア機構２４や操作環２１でない領域に設けるべく、レンズバリア機構２４より後方で、かつ操作環２１より後方（筐体２Ａ側）の位置とする。
【００３０】
以上説明した第二の実施形態によれば、次の作用効果が得られる。
（１）フラッシュ装置を内蔵するレンズ鏡筒２０Ａは、撮影レンズ群２５を有する略円筒状のレンズ鏡筒２０Ａと、レンズ鏡筒２０Ａの外面の一部を形成する位置およびレンズ鏡筒２０Ａから離れた使用位置間で移動可能な発光窓２３と、を備えるようにした。これにより、操作環２１の操作性を損なうことなしに、発光窓２３を格納できる。
【００３１】
（２）レンズ鏡筒２０Ａの外周部に設けられ、撮影レンズ群２５の光軸Ａ周りに回転可能な操作環２１を備え、発光窓２３は、操作環２１よりもカメラの筐体２Ａ側に設けるようにしたので、レンズ鏡筒２０Ａ内において径方向にメカ用スペースが不要な領域に、適切に設けることができる。
【００３２】
（３）レンズ鏡筒２０Ａは、撮影レンズ群２５を有する略円筒状の鏡筒４と、鏡筒４の外周部に設けられ、撮影レンズ群２５の光軸Ａ周りに回転可能な操作環２１と、撮影レンズ群２５を構成する前玉よりもカメラの筐体２Ａ側に設けられたフラッシュ装置（回動部材２２）と、を備えるようにしたので、フラッシュ装置（回動部材２２）を、レンズ鏡筒２０Ａ内において径方向にメカ用スペースが不要な領域に、適切に設けることができる。
【００３３】
（変形例２）
上述した第一の実施形態および第二の実施形態では、回動部材２２が回動する回転軸となるヒンジ１０を、光軸Ａと平行にする例を説明した。交換レンズ鏡筒２０Ｘの光軸Ａ方向の長さが長く、操作環２１より後ろ（筐体２Ａ側）側へ空間４ｂを長く確保できる場合は、回動部材２２が回動する回転軸となるヒンジを、光軸Ａと垂直な方向に設けてもよい。
【００３４】
図６は、変形例２によるフラッシュ内蔵カメラ１Ｘを例示する図であり、フラッシュ使用状態を表す斜視図である。図６において、撮影レンズが一体構成された筐体２Ｘの前面に、光軸Ａ方向に突出したレンズ鏡筒２０Ｘが設けられている。レンズ鏡筒２０Ｘの外周部には、操作環２１が設けられている。操作環２１は、フォーカス調節環でも、ズーム操作環でも、絞り操作環であってもよい。
【００３５】
レンズ鏡筒２０Ｘの外周部の最上部であって、操作環２１より筐体２Ｘに近い部位には、回動部材２２Ｘが設けられている。回動部材２２Ｘは、フラッシュ装置を構成しており、その先端部に発光窓２３が設けられている。フラッシュ使用時において、回動部材２２Ｘは、不図示のヒンジを回転軸として図６に示す矢印方向に回動される。これにより、発光窓２３がレンズ鏡筒２０Ｘから離れた使用位置へ移動する。
【００３６】
フラッシュ非使用時において、回動部材２２Ｘは、上記ヒンジを回転軸として図６に示す矢印方向と逆向きに回動される。これにより、回動部材２２Ｘが収納位置に畳まれ、畳まれた回動部材２２Ｘがレンズ鏡筒２０Ｘの外周の一部を形成する。
【００３７】
以上説明した変形例２によるフラッシュ装置内蔵カメラ１Ｘは、撮影レンズ群２５を有する略円筒状のレンズ鏡筒２０Ｘと、レンズ鏡筒２０Ｘの外周部に設けられ、撮影レンズ群２５の光軸Ａ周りに回転可能な操作環２１と、レンズ鏡筒２０Ｘの外面の一部を形成する位置およびレンズ鏡筒２０Ｘから離れた使用位置間で移動可能な発光窓２３と、を備えるようにした。これにより、操作環２１の操作性を損なうことなしに、レンズ鏡筒２０Ｘの外面と使用位置との間で発光窓２３を移動できる。
【００３８】
（変形例３）
変形例２におけるレンズ鏡筒２０Ｘを、カメラボディの筐体に対して着脱可能に構成してもよい。
【００３９】
（変形例４）
レンズ鏡筒２０に対し、発光窓２３を有する回動部材２２を１つ設ける例を説明したが、レンズ鏡筒２０の外周部に対して複数の回動部材２２を設け、接写用の撮影補助光を発する構成にしてもよい。
【００４０】
以上の説明はあくまで一例であり、上記の実施形態の構成に何ら限定されるものではない。各実施形態および変形例は、適宜組み合わせて構わない。
【符号の説明】
【００４１】
１、１Ｘ…カメラ
２、２Ａ、２Ｘ…筐体
４…鏡筒
４ａ…鏡筒切り欠き部
４ｂ、４ｃ…空間
１０…ヒンジ
２０、２０Ａ、２０Ｘ…レンズ鏡筒
２１…操作環
２２、２２Ｘ…回動部材（フラッシュ装置）
２２ａ…端部
２３…発光窓
２４…レンズバリア機構
２５…撮影レンズ群
２６…最大外周
２８…コンデンサ
【図１】
2015049295.tif 000003
【図２】
2015049295.tif 000004
【図３】
2015049295.tif 000005
【図４】
2015049295.tif 000006
【図５】
2015049295.tif 000007
【図６】
2015049295.tif 000008